(57)【要約】【課題】  洗濯ばさみ、ダブルクリップ等の事務用クリップや爪切り等の挟持具の開閉操作で、摘み部から指先が滑って外れたり、挟持片を横倒しに押したりして、指先の押し合う位置が合わずに洗濯ばさみ、ダブルクリップ等の事務用クリップや爪切り等の挟持具を飛ばしたり落としたりしないものを提供する。【解決手段】  一対の挟持片１を有し、その挟持片１の摘み部２を指が少なくとも二本掛かる幅で横方向に長くした横長摘み部３を形成し、摘み部２と横長摘み部３とを指先で挟み込むときに挟持片１の横倒しや指の滑りを防ぎ、洗濯ばさみ、ダブルクリップ等の事務用クリップや爪切り等の挟持具を飛ばしたり落としたりしなくなるものである。  横長摘み部３と挟持片１とを軸体７によって装着し、収納時に挟持片１と重ねることが出来るものとすることも考えられ、爪飛散防止用ケースに横長摘み部３を設けても良い。【選択図】          図１
2005342501.tif 000002
【特許請求の範囲】
【請求項１】
一対の挟持片を有したバネで開閉する挟持具の一対の摘み部のうち少なくとも一方の摘み部を、少なくとも二本の指が掛かる幅で横方向に長さのある横長摘み部として形成したことを特徴とする挟持具の摘み機構。
【請求項２】
横長摘み部を、操作時に挟持片の端となる作用点位置で回動状態になる軸体７によって装着したことを特徴とする請求項１記載の挟持具の摘み機構。
【請求項３】
横長摘み部を、後から着脱自在となる状態として装着したことを特徴とする請求項１又は請求項２記載の挟持具の摘み機構。
【発明の詳細な説明】
【技術分野】
【０００１】
この発明は、バネで開閉する挟持具の挟み部を開閉させるときに、摘み部から指先が外れ難くして、挟み部の開閉操作を容易にした挟持具の摘み機構に関するものであり、この発明に係わる挟持具としては、線材や板材のバネで開閉し、特に挟む洗濯ばさみや目玉クリップやダブルクリップ等の事務用クリップは勿論のこと、爪切り等バネ効果で押さえ付けた摘みが戻るものや爪切り飛散防止用ケース等の後から付加するものを対象とするものである。
【背景技術】
【０００２】
従来の洗濯ばさみ等の挟持具においたは、その摘み部を親指と人差し指との二本の指先で操作するもので滑り止めの工夫しかなされていなかったが、最近になっては、図４に示すような、使い易くするために摘み部分を円形状に大きくして、指先が当たる部分の面積を広げた洗濯ばさみが販売されるようになった。
【０００３】
爪切りにおいては、爪切りの本体およびレバーの摘み部に円盤を設けた特許文献１で示すものもあった。
【特許文献１】実開平７−４４０６４号
【発明の開示】
【発明が解決しようとする課題】
【０００４】
このように、従来の洗濯ばさみ、ダブルクリップ等の事務用クリップや爪切り等の挟持具においては、摘み部を親指と人差し指との二本の指先で操作するもので、摘み部から指先が外れたり二本の指先が横押しになったりして、指先の押し合う位置が合わずにずれて挟持片を横に倒し易いものであった。
【０００５】
このようにして、指先の押し合う位置が合わないときに、洗濯ばさみ、ダブルクリップ等の事務用クリップや爪切り等の挟持具を遠くへ飛び散らすことが度々に起こるもので、飛び散った洗濯ばさみやダブルクリップ等の事務用クリップなどは拾うか、新しい洗濯ばさみ等を取り出すことになったり、爪切りなどはやり直しをすことになったり、ということなどの問題が起きるものであった。
【０００６】
更に、指先に力の入らない人にとってはなおさらのこと、洗濯ばさみ、ダブルクリップ等の事務用クリップや爪切り等の挟持具の取り扱いには苦労するものであった。
【課題を解決するための手段】
【０００７】
この発明の洗濯ばさみ、ダブルクリップ等の事務用クリップや爪切り等の挟持具は、一対の挟持片１を有し、その挟持片１の摘み部２を少なくとも二本の指が掛かる幅で横方向に長さのある横長摘み部３として形成したものである。
【０００８】
この横長摘み部３は、人差し指と中指との二本で掛け止めることや四本指で握るようにすることが出来ることから挟持片１の横倒しが防げるので、対向する摘み部２を横長摘み部３へ押し当てる親指が挟持片１を横方向に押しても横長摘み部３へ真っ直ぐに押し込むことが出来るものに成る。
【０００９】
挟持片１と横長摘み部３とを一体に形成する他に、横長摘み部３と操作時に必要な作用点となる挟持片１の位置とを軸体７で回動状態とした回動機構によって装着し、横長摘み部３を挟持片１と重ねることが出来るものとして形成することができ、爪切り本体８や爪飛散防止用ケース９に横長摘み部３を設けることもできる。
【発明の効果】
【００１０】
本発明の洗濯ばさみ、ダブルクリップ等の事務用クリップや爪切り等の挟持具による摘み部２と横長摘み部３とを指先で挟み込むときに、二本の指先で掛け止めた横長摘み部３が挟持片１の横倒しになることを防ぐものであるから、指先が摘み部２から滑るなどによって外れることや飛び散ることがなくなり、挟み部４の開閉操作が容易になる。
【００１１】
したがって、飛び散って落ちた洗濯ばさみ、ダブルクリップ等の事務用クリップや爪切り等の挟持具を拾ったり、他の洗濯ばさみ、ダブルクリップ等の事務用クリップの挟持具で挟み直したりすることがなくなる。
【００１２】
また、指先の力が弱い人や少々障害のある人でも、この洗濯ばさみ、ダブルクリップ等の事務用クリップや爪切り等の挟持具を使用することが容易になるものでユニバーサルデザインとしても優れたものが考えられ、爪切りの爪飛散防止用ケースに横長摘み部３を設けたものは高齢者や指先の力が弱い人に喜ばれるものである。
【００１３】
横長摘み部３を回動状態としたものは、回動機構によって挟持片１と重ねることが出来るものとなり、収納に場所を取ることが無く便利なものとなるものである。
【発明を実施するための最良の形態】
【００１４】
以下、実施例を図面に基づいて説明する。
【実施例１】
【００１５】
本発明に係わる実施例の一つとしては、図１に示すように、洗濯ばさみにおける挟持片１の摘み部２を、挟持片１の長手方向に対して横方向に幅を長くした横長摘み部３を設けたものである。この横長摘み部３は、挟持片１より両側の横方向に幅を長くしたものであるが、片側だけを横長にすることも考えることができるが、バランスを考えると両側のものが優れている。
【００１６】
洗濯ばさみの挟み部４を開閉する操作は、一般的には人差し指と親指とで摘み親指を人差し指に向けて押すもので、この親指を押し動かす方向が対向する摘み部へ真直ぐに押せず少しずれて押し動かすときには、挟持片１がよじれたり指先が滑って外れたりすることが良く起きて、洗濯ばさみを飛ばしたり弾き戻されたりする取扱いの悪い点があった。
【００１７】
この発明は、その取扱いの悪い点をなくすために、不安定な点状の指掛かりからよじれない安定した長さのあるものにすることで、摘み部２を横長摘み部３にしたものである。
【実施例２】
【００１８】
第２の実施の形態としては、図２に示すように、人差し指や中指等に掛かる横長摘み部３を、より安定した状態で指にフィット感を与えるものとして凹部５を設けたものである。
【実施例３】
【００１９】
図３に示される第３の実施の形態としては、洗濯ばさみを持つ指先が滑らないようにするための滑り止め手段として、摘み部２に孔６を設けたものである。
【００２０】
挟持片１と横長摘み部３とを一体に形成する他に、（図５）で示すように、横長摘み部３と操作時に必要な作用点となる挟持片１の位置とを軸体７で回動状態とした回動機構によって装着し、横長摘み部３を挟持片１と重ねることが出来るものとして形成することもできる。
【実施例４】
【００２１】
図６に示される第４の実施の形態としては、事務用クリップ類のダブルクリップにおけるレバーである摘み部２の一方に、横長摘み部３を設けたものとしているもので、指先の力が弱い人にとっては取扱いが楽になるものである。
【００２２】
ダブルクリップの他に目玉クリップ、バチ型クリップや山型クリップなどの摘み部２に
横長摘み部３を設けたものにすることは、当然考えられるものである。
【実施例５】
【００２３】
図７に示される第５の実施の形態としては、爪切りの刃の位置とは反対側となる固定板１０で指の掛かる位置に横長摘み部３を設けたものとして横倒れをなくして安定性を良くしていることで、動き易い操作レバー１１の力をロスすることなく受け止めることが出来ることから爪切りが的確に行えるものであり、当然、図８に示されるように爪飛散防止用ケース９にも横長摘み部３を設けたものが考えられるもので、特に高齢者や指先の動きが悪い人にとっては使い易いものである。
【図面の簡単な説明】
【００２４】
【図１】この発明の実施例の一つを示す斜視図である。
【図２】第２の実施の形態を示す斜視図である。
【図３】第３の実施の形態を示す斜視図である。
【図４】摘み部を円形にした洗濯ばさみを示す斜視図である。
【図５】横長摘み部を軸体によって装着した状態を示す斜視図である。
【図６】第４の実施の形態を示す斜視図である。
【図７】第５の実施の形態を示す斜視図である。
【図８】横長摘み部を爪飛散防止用ケースに設けた状態を示す斜視図である。
【符号の説明】
【００２５】
１  挟持片
２  摘み部
３  横長摘み部
４  挟み部
５  凹部
６  孔
７  軸体
８  爪切り本体
９  爪飛散防止用ケース
１０  固定板
１１  操作レバー
【図１】
2005342501.tif 000003
【図２】
2005342501.tif 000004
【図３】
2005342501.tif 000005
【図４】
2005342501.tif 000006
【図５】
2005342501.tif 000007
【図６】
2005342501.tif 000008
【図７】
2005342501.tif 000009
【図８】
2005342501.tif 000010